(57)【要約】      （修正有）【課題】ソーラーエネルギー街路灯構造を提供する。【解決手段】ソーラーエネルギー街路灯構造は、メインランプフレーム１、ソーラーエネルギーモジュール２、回転フレームユニット３、照明器具４を備え、メインランプフレーム１は頂部１１を備え、及び第一枢接孔を設置し、ソーラーエネルギーモジュール２は頂部１１に取り付けられ、回転フレームユニット３は横方向管３１、外突管３２を備え、横方向管３１は第一枢接孔に枢接し、外突管３２は横方向管３１に連接し、これにより外突管３２は横方向管３１を軸心として角度が調整され、照明器具４はランプ体４１、光源モジュール４２を備え、ランプ体４１一端には第二枢接孔４１０を設置し、もう一端には光源モジュール４２を取り付け、ランプ体４１は第二枢接孔４１０を通して外突管３２に枢接され、これによりランプ体４１は外突管３２を軸心として角度が調整され、ソーラーエネルギー街路灯構造は二段階式角度及び照射エリア調整の長所を備える。【選択図】図３
0003207907.tif 000002
【実用新案登録請求の範囲】
【請求項１】
ソーラーエネルギー街路灯構造は、メインランプフレーム、ソーラーエネルギーモジュール、回転フレームユニット、照明器具を備え、
該メインランプフレームは、頂部を備え、及び第一枢接孔を設置し、
該ソーラーエネルギーモジュールは、該頂部に取り付けられ、
該回転フレームユニットは、横方向管及び外突管を備え、該横方向管は、該第一枢接孔に枢接し、該外突管は、該横方向管に連接し、これにより該外突管は該横方向管を軸心として角度が調整され、
該照明器具は、ランプ体及び光源モジュールを備え、該ランプ体一端には、第二枢接孔を設置し、もう一端には、該光源モジュールを取り付け、該ランプ体は該第二枢接孔を通して該外突管に枢接され、これにより該ランプ体は該外突管を軸心として角度が調整されることを特徴とするソーラーエネルギー街路灯構造。
【請求項２】
前記メインランプフレームは、固定ポスト、第一回転管及び第二回転管を備え、
該第一回転管の両端は、第一穿設端及び第二穿設端をそれぞれ延伸し、該第一穿設端は該固定ポストに穿設され、しかも該固定ポストに相対して回転でき、
該第二回転管は、該第二穿設端に嵌めて設置され、しかも該第一回転管に相対して回転でき、該第一枢接孔は、該第一回転管上から開設され、該頂部は、該第二回転管上に形成されることを特徴とする請求項１に記載のソーラーエネルギー街路灯構造。
【請求項３】
前記固定ポストには、該第一穿設端に対応して配置される複数の第一貫通孔を設置し、
該第二回転管には、該第二穿設端に対応して配置される複数の第二貫通孔を設置することを特徴とする請求項２に記載のソーラーエネルギー街路灯構造。
【請求項４】
前記ソーラーエネルギーモジュールは、搭載フレーム及びソーラーパネルを備え、
該搭載フレームは、該頂部に取り付けられ、
該ソーラーパネルは、該搭載フレームに固定されることを特徴とする請求項２に記載のソーラーエネルギー街路灯構造。
【請求項５】
前記ソーラーエネルギーモジュールは、蓄電池をさらに備え、
該蓄電池は、該第一回転管或いは該第二回転管の内部に収容して設置され、該蓄電池は、該ソーラーパネル及び該光源モジュールにそれぞれ連接することを特徴とする請求項４に記載のソーラーエネルギー街路灯構造。
【請求項６】
前記ソーラーエネルギー街路灯構造はさらに、第一螺固部材及び第二螺固部材をさらに備え、
該頂部は、該第二回転管上から延伸する延伸管を備え、該延伸管には、第一固定孔及び第二固定孔を設置し、
該搭載フレームは、２個の固挟片を備え、該２個の固挟片は、該延伸管の両側に設置され、該各固挟片は、第三固定孔及び弧形長孔を設置し、
該第一螺固部材は、該第一固定孔及び該各第三固定孔に螺合され、該第二螺固部材は、該第二固定孔及び該２個の弧形長孔に螺合され、
該搭載フレームは、該２個の弧形長孔を通して、該第一螺固部材を軸心として角度が調整されることを特徴とする請求項４に記載のソーラーエネルギー街路灯構造。
【請求項７】
前記ランプ体は、ランプ台、第一挟固部材及び第二挟固部材を備え、
該第一挟固部材一端は、該ランプ台に連接され、もう一端には、第一陥没槽を設置し、
該第二挟固部材一端には、第二陥没槽を設置し、
該第一陥没槽と該第二陥没槽とは共同で、該第二枢接孔を構成し、
これにより、該外突管は、該第一陥没槽の内壁と該第二陥没槽の内壁との間に挟んで設置され、該光源モジュールは、該ランプ台に取り付けられることを特徴とする請求項１に記載のソーラーエネルギー街路灯構造。
【請求項８】
前記ランプ体は、滑り止めキャップをさらに備え、
該滑り止めキャップは、該第一挟固部材、該第二挟固部材、該外突管の間に挟んで設置されることを特徴とする請求項７に記載のソーラーエネルギー街路灯構造。
【請求項９】
前記滑り止めキャップには、下陥槽を設置し、及び２個の突出片と２個の凸環セクションを備え、
該２個の突出片は、該下陥槽の底壁の両側からそれぞれ延伸して成形され、
該２個の凸環セクションは、該滑り止めキャップの左、右両端に形成され、
該第一挟固部材と該第二挟固部材とは共同で、該下陥槽に嵌合され、
該２個の突出片は、該第一挟固部材と該第二挟固部材との間に挟んで設置され、該２個の凸環セクションは、該第一挟固部材と該第二挟固部材の外部に露出することを特徴とする請求項８に記載のソーラーエネルギー街路灯構造。
【請求項１０】
前記ランプ体は、複数のネジをさらに備え、
該第一挟固部材には、複数の第一穿孔を設置し、
該第二挟固部材には、複数の第二穿孔を設置し、
該各突出片には、複数の第三穿孔を設置し、該各ネジは、該各第一穿孔、該各第二穿孔、該各第三穿孔にそれぞれ螺合されることを特徴とする請求項９に記載のソーラーエネルギー街路灯構造。
【請求項１１】
前記ランプ体は、２個の挿入ピンをさらに備え、
該２個の挿入ピンは、該外突管に挿入して設置され、しかも該２個の凸環セクションの外側に対応して、係止定位されることを特徴とする請求項９に記載のソーラーエネルギー街路灯構造。
【請求項１２】
前記ランプ体は、２個の圧迫ボルトをさらに備え、
該第一挟固部材には、該滑り止めキャップに対応して配置される第一螺孔を設置し、
該第二挟固部材には、該滑り止めキャップに対応して配置される第二螺孔を設置し、
該圧迫ボルトの一つは該第一螺孔に螺合され、もう一つの該圧迫ボルトは、該第二螺孔に螺合され、しかも該各圧迫ボルトの底部は、該滑り止めキャップをそれぞれ圧迫することを特徴とする請求項９に記載のソーラーエネルギー街路灯構造。
【請求項１３】
前記外突管は、Ｕ字状管で、
該外突管の両端は、該横方向管の両端にそれぞれ固定して接続され、該外突管の形状は、円柱形で、該第一陥没槽及び該第二陥没槽の形状は、それぞれ半円形を呈し、
該滑り止めキャップは、円筒状を呈し、該各突出片は、半弧状を呈することを特徴とする請求項９に記載のソーラーエネルギー街路灯構造。
【考案の詳細な説明】
【技術分野】
【０００１】
本考案は照明構造に関し、特にソーラーエネルギー街路灯構造に関する。
【背景技術】
【０００２】
従来の街路灯構造は、街路灯ポスト及び照明器具を備える。
街路灯ポスト一端は、道路内に固定し、もう一端は照明器具と結合する。
しかし、街路灯ポストと照明器具との連接位置は固定され、移動或いは回転が不能であるため、照明器具は固定エリアしか照射できず、使用の必要に応じて角度調整を行うことはできない。
【０００３】
さらに、前記照明器具のランプが、発光ダイオード（Ｌｉｇｈｔ-ｅｍｉｔｔｉｎｇ  ｄｉｏｄｅ，ＬＥＤ）である時には、発光ダイオードは投射効率が低いため、照明器具照射の固定エリアの範囲も小さくなってしまうため、固定エリアを必要エリアへと効果的に調整する必要性はより高い。
そのため、街路灯ポストと照明器具との連接位置を移動或いは回転させられ、照明器具の角度調整を可能とし、照射の固定エリアが変えられる街路灯の開発が待たれている。
本考案は、従来の街路灯の上記した欠点に鑑みてなされたものである。
【考案の概要】
【考案が解決しようとする課題】
【０００４】
本考案が解決しようとする課題は、外突管は横方向管を軸心として角度を調整でき、ランプ体は外突管を軸心として角度を調整でき、ソーラーエネルギー街路灯構造は二段階式角度及び照射エリア調整の長所を備え、こうしてソーラーエネルギー街路灯構造の照明効率を高めることができるソーラーエネルギー街路灯構造を提供することである。
【課題を解決するための手段】
【０００５】
上記課題を解決するため、本考案は下記のソーラーエネルギー街路灯構造を提供する。
ソーラーエネルギー街路灯構造は、頂部を備え、第一枢接孔を設置するメインランプフレーム、該頂部に取り付けられるソーラーエネルギーモジュール、横方向管及び外突管を備える回転フレームユニット、ランプ体及び光源モジュールを備える照明器具を備え、
該横方向管は、該第一枢接孔に枢接され、該外突管は、該横方向管に連接し、これにより該外突管は該横方向管を軸心として角度が調整され、
該ランプ体一端には、第二枢接孔を設置し、もう一端には、該光源モジュールを取り付け、該ランプ体は該第二枢接孔を通して該外突管に枢接され、これにより該ランプ体は該外突管を軸心として角度が調整される。
【考案の効果】
【０００６】
本考案のソーラーエネルギー街路灯構造は、外突管は横方向管を軸心として角度が調整され、ランプ体は外突管を軸心として角度が調整されることで、二段階式角度及び照射エリア調整の長所を備え、こうして照明効率を高めることができる。
【図面の簡単な説明】
【０００７】
【図１】本考案ソーラーエネルギー街路灯構造の立体分解図である。
【図２】本考案ソーラーエネルギー街路灯構造の別種の立体分解図である。
【図３】本考案ソーラーエネルギー街路灯構造の立体組合せ図である。
【図４】本考案ソーラーエネルギー街路灯構造の別種の立体組合せ図である。
【図５】本考案ソーラーエネルギー街路灯構造の断面模式図である。
【図６】本考案ソーラーエネルギー街路灯構造の別種の断面模式図である。
【図７】本考案ソーラーエネルギー街路灯構造の使用状態模式図である。
【図８】本考案ソーラーエネルギー街路灯構造の別種の使用状態模式図である。
【図９】本考案ソーラーエネルギー街路灯構造のさらに別種の使用状態模式図である。
【考案を実施するための形態】
【０００８】
以下に図面を参照しながら本考案を実施するための最良の形態について詳細に説明する。
【実施例】
【０００９】
図１〜図９に示すように、本考案によるソーラーエネルギー街路灯構造１０は、メインランプフレーム１、ソーラーエネルギーモジュール２、回転フレームユニット３及び照明器具４を備える。
【００１０】
図１〜図６に示すように、該メインランプフレーム１は、頂部１１を備え、及び第一枢接孔１２を設置する。
【００１１】
該メインランプフレーム１は、固定ポスト１３、第一回転管１４及び第二回転管１５を備える。
【００１２】
該第一回転管１４の両端は、第一穿設端１４１及び第二穿設端１４２をそれぞれ延伸する。
【００１３】
該第一穿設端１４１は、該固定ポスト１３に通して設置され、しかも該固定ポスト１３に相対して回転する。
【００１４】
該第二回転管１５は、該第二穿設端１４２に嵌めて設置され、しかも該第一回転管１４に相対して回転する。
【００１５】
該第一枢接孔１２は該第一回転管１４上から開設され、該頂部１１は、該第二回転管１５上に形成される。
【００１６】
該固定ポスト１３には、該第一穿設端１４１に対応して配置される複数の第一貫通孔１３１を設置する。
【００１７】
これにより、該第一回転管１４が該固定ポスト１３に相対して回転すると、該第一回転管１４と該固定ポスト１３との間の摩擦空気は、該第一貫通孔１３１を通して排出され、該第一回転管１４は、比較的スムーズに、該固定ポスト１３に相対して回転できる。
【００１８】
該第二回転管１５には、該第二穿設端１４２に対応して配置する複数の第二貫通孔１５１を設置する。
【００１９】
これにより、該第二回転管１５が該第一回転管１４に相対して回転すると、該第二回転管１５と該第一回転管１４との間の摩擦空気は、該第二貫通孔１５１を通して排出され、該第二回転管１５は比較的スムーズに該第一回転管１４に相対して回転する。
【００２０】
該頂部１１は、該第二回転管１５上から延伸する延伸管１５２を備え、該延伸管１５２には、第一固定孔１５２１及び第二固定孔１５２２を設置する。
【００２１】
図１、図３〜図５に示すように、該ソーラーエネルギーモジュール２は、該頂部１１に設置される。
【００２２】
該ソーラーエネルギーモジュール２は、搭載フレーム２１、ソーラーパネル２２及に蓄電池２３を備える。
【００２３】
該搭載フレーム２１は、該頂部１１に設置され、該ソーラーパネル２２は、該搭載フレーム２１に固定される。
【００２４】
該蓄電池２３は、第一回転管１４或いは第二回転管１５の内部に収容され、該蓄電池２３は、該ソーラーパネル２２及び該光源モジュール４２にそれぞれ電気的に連接する。
【００２５】
該搭載フレーム２１は、２個の固挟片２１１を備え、該２個の固挟片２１１は該延伸管１５２の両側に設置され、該各固挟片２１１には、第三固定孔２１１１及び弧形長孔２１１２を設置する。
【００２６】
図１〜図６に示すように、該回転フレームユニット３は、横方向管３１及び外突管３２を備える。
【００２７】
該横方向管３１は、該第一枢接孔１２に枢接し、該外突管３２は、該横方向管３１に連接し、これにより、該外突管３２は、該横方向管３１を軸心として角度が調整される。
【００２８】
本実施形態の外突管３２は、Ｕ字状管で、該外突管３２の両端は、該横方向管３１の両端にそれぞれ固定して接続され、該外突管３２の形状は、円柱形であるが、該外突管３２の外型は実際の状況に応じて調整でき、これに制限されるものではない。
【００２９】
図１〜図６に示すように、照明器具４は、ランプ体４１及び光源モジュール４２を備える。
【００３０】
該ランプ体４１一端には、第二枢接孔４１０を設置し、もう一端には、光源モジュール４２を取り付け、該ランプ体４１は、該第二枢接孔４１０を通して、該外突管３２に枢接され、これにより該ランプ体４１は、該外突管３２を軸心として角度が調整される。
【００３１】
該ランプ体４１は、ランプ台４１１、第一挟固部材４１２及び第二挟固部材４１３を備える。
【００３２】
該第一挟固部材４１２一端は、該ランプ台４１１に連接し、もう一端には、第一陥没槽４１２１を設置する。
【００３３】
該第二挟固部材４１３一端には、第二陥没槽４１３１を設置し、該第一陥没槽４１２１と第二陥没槽４１３１とは、共同で第二枢接孔４１０を構成する。
【００３４】
これにより、該外突管３２は、該第一陥没槽４１２１の内壁と該第二陥没槽４１３１の内壁との間に挟んで固定され、光源モジュール４２は、該ランプ台４１１に取り付けられる。
【００３５】
該ランプ体４１は、滑り止めキャップ４１４をさらに備え、該滑り止めキャップ４１４は、第一挟固部材４１２、第二挟固部材４１３、外突管３２の間に挟んで設置される。
【００３６】
該滑り止めキャップ４１４には、下陥槽４１４１を設置し、及び２個の突出片４１４２と２個の凸環セクション４１４３を備える。
【００３７】
２個の突出片４１４２は、該下陥槽４１４１の底壁の両側から延伸してそれぞれ成形され、２個の凸環セクション４１４３は、該滑り止めキャップ４１４の左、右両端に形成される。
【００３８】
該第一挟固部材４１２と該第二挟固部材４１３とは、該下陥槽４１４１に共同で嵌合され、該２個の突出片４１４２は、該第一挟固部材４１２と該第二挟固部材４１３との間に挟んで設置され、該２個の凸環セクション４１４３は、該第一挟固部材４１２と該第二挟固部材４１３の外部にそれぞれ露出する。
【００３９】
該滑り止めキャップ４１４は、シリコン或いはゴム材質により構成し、こうして第一挟固部材４１２、第二挟固部材４１３、外突管３２間の摩擦力を拡大する。
【００４０】
該ランプ体４１は、複数のネジ４１５をさらに備え、該第一挟固部材４１２には、複数の第一穿孔４１２２を設置し、該第二挟固部材４１３には、複数の第二穿孔４１３２を設置し、該各突出片４１４２には、複数の第三穿孔４１４２１を設置する。
【００４１】
各ネジ４１５は、各第一穿孔４１２２、各第二穿孔４１３２、各第三穿孔４１４２１にそれぞれ螺固される。
【００４２】
よって、該ネジ４１５を緩めると、第一挟固部材４１２、第二挟固部材４１３及び外突管３２の相互挟固の位置を調整可能で、これにより、ソーラーエネルギー街路灯構造１０は照射角度を調整可能となる。
【００４３】
該ランプ体４１は、２個の挿入ピン４１６及び２個の圧迫ボルト４１７をさらに備え、２個の挿入ピン４１６は外突管３２に挿入して設置され、しかも２個の凸環セクション４１４３の外側に対応して係止定位される。
【００４４】
しかも、該第一挟固部材４１２には、該滑り止めキャップ４１４に対応して配置される第一螺孔４１２３が設置され、該第二挟固部材４１３には、該滑り止めキャップ４１４に対応して配置される第二螺孔４１３３が設置される。
【００４５】
圧迫ボルト４１７を第一螺孔４１２３に螺接し、もう一つの圧迫ボルト４１７を第二螺孔４１３３に螺接し、しかも該各圧迫ボルト４１７の底部は、該滑り止めキャップ４１４をそれぞれ圧迫する。
【００４６】
こうして、２個の挿入ピン４１６及び２個の圧迫ボルト４１７により制限し、しかも滑り止めキャップ４１４の位置を定位する。
【００４７】
本実施形態の第一陥没槽４１２１及び第二陥没槽４１３１の形状は、外突管３２の形状に対応し、それぞれ半円形を呈する。
【００４８】
該滑り止めキャップ４１４も外突管３２の形状に対応し、円筒状を呈し、各突出片４１４２は、半弧状を呈する。
【００４９】
但し、第一陥没槽４１２１、第二陥没槽４１３１、外突管３２及び突出片４１４２の外型は実際の状況に応じて調整でき、これに制限されるものではない。
【００５０】
図１〜図６に示すように、本考案ソーラーエネルギー街路灯構造１０はさらに、第一螺固部材５及び第二螺固部材６をさらに備える。
【００５１】
該第一螺固部材５は、第一固定孔１５２１及び各第三固定孔２１１１に螺合され、第二螺固部材６は、第二固定孔１５２２及び２個の弧形長孔２１１２に螺合される。
【００５２】
これにより、搭載フレーム２１は、２個の弧形長孔２１１２を通して、第一螺固部材５を軸心として角度が調整される。
【００５３】
図１〜図９に示すように、本考案ソーラーエネルギー街路灯構造１０の組合せは、頂部１１を備え、及び第一枢接孔１２を設置するメインランプフレーム１を利用し、該ソーラーエネルギーモジュール２は、頂部１１に取り付けられる。
【００５４】
回転フレームユニット３は、横方向管３１及び外突管３２を備える。
【００５５】
横方向管３１は、該第一枢接孔１２に枢接し、外突管３２は、該横方向管３１に連接し、これにより、該外突管３２は、該横方向管３１を軸心として角度が調整される。
【００５６】
照明器具４は、ランプ体４１及び光源モジュール４２を備え、該ランプ体４１一端には、第二枢接孔４１０を設置し、もう一端には、光源モジュール４２を取り付ける。
【００５７】
該ランプ体４１は、該第二枢接孔４１０を通して、該外突管３２に枢接され、これにより該ランプ体４１は、該外突管３２を軸心として角度が調整される。
【００５８】
これにより、図７に示すように、該外突管３２は、横方向管３１を軸心として角度が調整され、該ランプ体４１は、能以外突管３２を軸心として角度が調整される。
【００５９】
これにより、ソーラーエネルギー街路灯構造１０は、二段階式角度及び照射エリア調整の長所を備え、こうしてソーラーエネルギー街路灯構造１０の照明効率を高めることができる。
【００６０】
図７〜図９に示すように、第一回転管１４の第一穿設端１４１は、該固定ポスト１３に通して設置され、しかも該固定ポスト１３に相対して回転する。
【００６１】
これにより、該照明器具４は、二段階式角度及び照射エリアの調整が可能となる他、固定ポスト１３を中心として３６０度回転が可能で、こうして照明器具４の照明位置を調整し、ソーラーエネルギー街路灯構造１０の照明範囲を広げることができる。
【００６２】
第二回転管１５は、該第二穿設端１４２に嵌めて設置され、しかも該第一回転管１４に相対して回転する。
【００６３】
搭載フレーム２１は、２個の弧形長孔２１１２を通して、第一螺固部材５を軸心として角度が調整される。
【００６４】
これにより、ソーラーパネル２２は、搭載フレーム２１、第二回転管１５の位置調整を通して、ソーラーパネル２２の仰角角度、陽光照射エリア及び位置の調整が可能となる。
【００６５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００６６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００６７】
１０  ソーラーエネルギー街路灯構造
１  メインランプフレーム
１１  頂部
１２  第一枢接孔
１３  固定ポスト
１３１  第一貫通孔
１４  第一回転管
１４１  第一穿設端
１４２  第二穿設端
１５  第二回転管
１５１  第二貫通孔
１５２  延伸管
１５２１  第一固定孔
１５２２  第二固定孔
２  ソーラーエネルギーモジュール
２１  搭載フレーム
２１１  固挟片
２１１１  第三固定孔
２１１２  弧形長孔
２２  ソーラーパネル
２３  蓄電池
３  回転フレームユニット
３１  横方向管
３２  外突管
４  照明器具
４１  ランプ体
４１０  第二枢接孔
４１１  ランプ台
４１２  第一挟固部材
４１２１  第一陥没槽
４１２２  第一穿孔
４１２３  第一螺孔
４１３  第二挟固部材
４１３１  第二陥没槽
４１３２  第二穿孔
４１３３  第二螺孔
４１４  滑り止めキャップ
４１４１  下陥槽
４１４２  突出片
４１４２１  第三穿孔
４１４３  凸環セクション
４１５  ネジ
４１６  挿入ピン
４１７  圧迫ボルト
４２  光源モジュール
５  第一螺固部材
６  第二螺固部材
【図１】
0003207907.tif 000003
【図２】
0003207907.tif 000004
【図３】
0003207907.tif 000005
【図４】
0003207907.tif 000006
【図５】
0003207907.tif 000007
【図６】
0003207907.tif 000008
【図７】
0003207907.tif 000009
【図８】
0003207907.tif 000010
【図９】
0003207907.tif 000011